(57)【要約】【課題】  マイクケーブルを介して天井に吊り下げて使用されるハンギングマイクロホンにおいて、吊り下げ後における収音方向の調整や変更を容易に行えるようにする。【解決手段】  マイクロホンユニットをマイクケーブルを介して天井に吊り下げて使用するハンギングマイクロホンにおいて、マイクロホンユニットを吊り下げるマイクケーブル１００の外皮１１３内に軸方向に伸縮する形状記憶合金線１２０を螺旋状に埋設するとともに、形状記憶合金線１２０の両端に通電用の直流電源１３０を接続し、形状記憶合金線１２０を通電加熱により収縮させてマイクケーブル１００を撚り方向に変位させて、マイクロホンユニットの収音方向を調整可能とする。【選択図】  図１
2006217141.tif 000002
【特許請求の範囲】
【請求項１】
マイクロホンユニットをマイクケーブルを介して天井に吊り下げて使用するハンギングマイクロホンにおいて、
上記マイクケーブルの外皮内に軸方向に伸縮する形状記憶合金線を螺旋状に埋設するとともに、上記形状記憶合金線の両端に通電用の直流電源を接続してなることを特徴とするハンギングマイクロホン。
【請求項２】
上記直流電源から上記形状記憶合金線に供給する通電量を制御する制御手段を備えていることを特徴とする請求項１に記載のハンギングマイクロホン。
【請求項３】
上記形状記憶合金線の温度を検出する温度センサを備え、上記制御手段は上記温度センサからの検出温度信号が一定となるように上記通電量を制御することを特徴とする請求項２に記載のハンギングマイクロホン。
【請求項４】
マイクロホンユニットを天井に吊り下げるためのハンギングマイクロホン用マイクケーブルにおいて、
外皮内に軸方向に伸縮する形状記憶合金線が螺旋状に埋設されていることを特徴とするハンギングマイクロホン用マイクケーブル。
【発明の詳細な説明】
【技術分野】
【０００１】
本発明は、マイクケーブルを介して天井に吊り下げて使用されるハンギングマイクロホンに関し、さらに詳しく言えば、吊り下げられたマイクロホンユニットの収音方向を可変する技術に関するものである。
【背景技術】
【０００２】
図２に示すように、ハンギングマイクロホンはマイクロホンユニット１０をマイクケーブル１１を介して天井に吊り下げた状態で使用される。主として、ステージでの収音や教会での聖歌隊の歌唱などの収音に用いられ、通常は恒久的に設置される。
【０００３】
音源に対するマイクロホンユニット１０のαで示す上下方向の角度調整は、両端に設けられたコイル部１２ａ，１２ａによりマイクケーブル１１に取り付けられる針がね状の角度調整具１２によって比較的容易に行うことができるが、βで示す左右の収音方向の調整にはかなりの手間がかかる。
【０００４】
すなわち、吊り下げ用のマイクケーブル１１は外径が３〜６ｍｍ程度と比較太いケーブルで、通常、設置場所には円形に巻束ねた状態で梱包されて搬入される。したがって、巻癖がついている。吊り下げに際しては、その巻癖をほぐすようにしているが、それには時間がかかるばかりでなく、十分なまでにはほぐし得ない。
【０００５】
そのため、マイクロホンユニット１０を吊り下げた場合、マイクロホンユニット１０の収音方向がマイクケーブル１１を軸として回転してしまう。また、気温の変化などによってもマイクケーブル１１にねじれが発生し、マイクロホンユニット１０の収音方向が回転してしまうことがある。
【０００６】
そこで、マイクロホンユニット１０を吊り下げたのち、テグスなどの紐１３で例えば２方向もしくは３方向から引っ張ることにより、マイクロホンユニット１０の回転を防止するようにしているが、場所が天井付近で高いこともあって、その作業は脚立上での作業となりかなりの手間がかかる。また、一度設定した収音方向を変更する場合にも、同様に手間がかかる。
【発明の開示】
【発明が解決しようとする課題】
【０００７】
したがって、本発明の課題は、マイクケーブルを介して天井に吊り下げて使用されるハンギングマイクロホンにおいて、吊り下げ後における収音方向の調整や変更を容易に行えるようにすることにある。
【課題を解決するための手段】
【０００８】
上記課題を解決するため、本発明は、マイクロホンユニットをマイクケーブルを介して天井に吊り下げて使用するハンギングマイクロホンにおいて、上記マイクケーブルの外皮内に軸方向に伸縮する形状記憶合金線を螺旋状に埋設するとともに、上記形状記憶合金線の両端に通電用の直流電源を接続してなることを特徴としている。
【０００９】
本発明には、好ましい態様として、上記直流電源から上記形状記憶合金線に供給する通電量を制御する制御手段を備える態様と、上記形状記憶合金線の温度を検出する温度センサを備え、上記制御手段は上記温度センサからの検出温度信号が一定となるように上記通電量を制御する態様とが含まれる。
【００１０】
また、本発明には、マイクロホンユニットを天井に吊り下げるためのハンギングマイクロホン用マイクケーブルにおいて、外皮内に軸方向に伸縮する形状記憶合金線が螺旋状に埋設されていることを特徴とするハンギングマイクロホン用マイクケーブルも含まれる。
【発明の効果】
【００１１】
形状記憶合金線は通電に伴う発熱によって収縮し、冷却（放熱）時には伸張する特異な性質を有する。本発明によれば、このような特異な動きを示す形状記憶合金線をマイクケーブルの外皮内に螺旋状に埋設したことにより、その伸縮に伴ってマイクケーブルが撚り方向に変位するため、直流電源からの通電量を制御することでリモートコントロール的にマイクロホンユニットの収音方向を可変することができる。
【００１２】
また、温度センサにより形状記憶合金線の温度を検出し、制御手段により、形状記憶合金線の温度がほぼ一定となるように通電量を制御することにより、マイクロホンユニットの収音方向を所望とする方向に安定して維持することができる。
【発明を実施するための最良の形態】
【００１３】
次に、図１により本発明の実施形態について説明するが、本発明はこれに限定されるものではない。図１は本発明の要部を示す模式図で、同図には吊り下げ用のマイクケーブルの一部拡大斜視図とその制御系とが含まれている。なお、ハンギングマイクロホンの全体的な構成（マイクケーブルによりマイクロホンユニットを吊す点）については先に説明した図２を参照されたい。
【００１４】
図１において、本発明のハンギングマイクロホンに用いられるマイクケーブルを参照符号１００として示す。このマイクケーブル１００は、ホット側の信号線１１１とコールド側の信号線１１２とを有する２芯ケーブルで、その全体が外皮（シース）１１３により被覆されている。図示しないが、シールド被覆線を備えていてもよい。
【００１５】
このマイクケーブル１００により、図２に示すようにマイクロホンユニット１０が天井から吊り下げられるのであるが、マイクロホンユニット１０の収音方向をβ方向に調整，変更可能とするため、マイクケーブル１００の外皮１１３内に形状記憶合金線１２０が螺旋状に埋設される。
【００１６】
この例では、形状記憶合金線１２０の埋設個所を外皮１１３内としているが、外皮１１３の外周面に溝を螺旋状に形成し、その溝に沿って形状記憶合金線１２０を接着材などにより一体的に固定するようにしてもよい。いずれの場合も、形状記憶合金線１２０の螺旋ピッチは任意に決められてよい。
【００１７】
形状記憶合金（Ｓｈａｐｅ  Ｍｅｍｏｒｙ  Ａｌｌｏｙ）線としては、例えばトキ・コーポレーション社製のバイオメタル（商品名）を例示することができる。この形状記憶合金線はＴｉ−Ｎｉ系もしくはＴｉ−Ｎｉ−Ｃｕ系合金で、加熱により収縮し（収縮量，原寸の約５％）、冷却すると伸張する特性を有する。
【００１８】
本発明では、形状記憶合金線１２０を通電加熱するため、その両端に接続される直流電源１３０を備える。この直流電源１３０より形状記憶合金線１２０に通電して発熱させると、形状記憶合金線１２０が収縮し、これに伴ってマイクケーブル１００がθで示す撚り方向に変位する。これを利用することにより、マイクロホンユニット１０の収音方向をマイクケーブル１００を軸とするβ方向に調整することができる。
【００１９】
形状記憶合金線１２０の収縮量は通電量（発熱量）に比例することから、マイクケーブル１００の撚り方向の変位量を調整可能とするため、直流電源１３０に可変直流電源を用いるとともに、操作部１４１を含む制御手段１４０により直流電源１３０を制御して、形状記憶合金線１２０に対する通電量を可変とすることが好ましい。これによれば、操作部１４１によりリモートコントロール的にマイクロホンユニット１０の収音方向を調整することができる。
【００２０】
また、別の例として、マイクケーブル１００に形状記憶合金線１２０の温度を検出する例えば抵抗線からなる温度センサー１４２を設け、その温度センサー１４２の検出温度信号を制御手段１４０に入力する。そして、制御手段１４０で、その検出温度が操作部１４１にて設定された温度（変位量の温度換算値）となるように、直流電源１３０の通電量を制御することにより、マイクロホンユニット１０の収音方向を所望とする方向に安定して維持することができる。
【００２１】
以上説明したように、本発明によれば、操作部１４１を操作して形状記憶合金線１２０に対する通電量を制御することにより、作業者は居ながらにしてマイクロホンユニット１０の収音方向を調整することができる。また、一端設定した収音方向をも容易に変更することができる。なお、マイクロホンユニット１０の上下方向の角度調整は、従来どおり図２に示す針がね状の角度調整具１２によって行えばよい。
【図面の簡単な説明】
【００２２】
【図１】本発明の要部であるマイクケーブルの一部拡大斜視図および形状記憶合金線の制御系を含む模式図。
【図２】従来のハンギングマイクロホンの設置例を示す模式図。
【符号の説明】
【００２３】
１０  マイクロホンユニット
１２  角度調整具１２
１００  吊り下げ用のマイクケーブル
１１１，１１２  信号線
１１３  外皮
１２０  形状記憶合金線
１３０  直流電源
１４０  制御手段
１４１  操作部
１４２  温度センサ
【図１】
2006217141.tif 000003
【図２】
2006217141.tif 000004